【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向け遊技球が打ち込まれる遊技盤と、
前記遊技盤の遊技領域に配置され、遊技球が入賞可能な始動口と、
前記始動口に遊技球が入賞したことを検出する始動検出手段と、
前記遊技領域に配置され、閉状態と開状態とを変化可能となっており、前記閉状態から前記開状態に変化させられることで遊技球が入賞可能となる開閉装置と、
前記開閉装置に遊技球が入賞したことを検出する入賞検出手段と、
少なくとも装飾図柄の変動表示を含む演出表示を行うための演出画像表示手段と、
少なくとも前記変動表示のパターンである複数の変動パターンを記憶する変動情報記憶手段と、
前記始動検出手段による遊技球の検出に基づいて抽選を行う抽選手段、
前記変動情報記憶手段に記憶される変動パターンに基づき、前記演出画像表示手段に前記装飾図柄の変動表示を行い、前記抽選手段による抽選結果に応じた前記装飾図柄の停止表示を行う演出画像表示制御手段、
前記抽選手段による抽選に当選したことに応じ、前記開閉装置の開閉動作を行い、遊技者に遊技価値を付与可能な大当たり遊技を実行する大当たり遊技実行手段、および
前記抽選手段による前記大当たり遊技の抽選とは別の抽選に当選したことに応じ、前記開閉装置の開閉動作を行い、遊技者に遊技価値を付与可能な小当たり遊技を実行する小当たり遊技実行手段、を少なくとも有する遊技制御手段と、
を備えた遊技機であって、
前記大当たり実行手段は、少なくとも、遊技球が十分に入賞可能な態様で前記開閉装置の開閉動作を行う長当たり遊技を実行する長当たり遊技実行手段と、遊技球が十分には入賞しにくい態様で前記開閉装置の開閉動作を行う短当たり遊技を実行する短当たり遊技実行手段とを有し、
前記遊技制御手段は、前記大当たり遊技実行手段による前記大当たり遊技の実行を決定するための抽選に係る遊技状態として、相対的に高い当選確率で抽選を行う高確率抽選遊技状態、又は、相対的に低い当選確率で抽選を行う低確率抽選遊技状態に制御可能な遊技状態制御手段を含み、
前記遊技状態制御手段は、前記短当たり遊技実行手段による前記短当たり遊技の終了後には前記短当たり遊技に当選する前の遊技状態にかかわらず前記高確率抽選遊技状態に制御し、前記小当たり遊技実行手段による前記小当たり遊技の終了後には前記小当たり遊技に当選する前の遊技状態に制御し、
前記遊技状態が前記高確率抽選遊技状態であることを遊技者が推測可能な認識遊技状態を導出する高確率報知手段を備え、
前記高確率報知手段は、
前記遊技状態を推測可能な推測可能演出を決定する推測可能演出決定手段と、
該推測可能演出決定手段にて決定された前記推測可能演出を実行可能な推測可能演出実行手段と
を有し、
前記推測可能演出決定手段にて決定された前記推測可能演出を、前記推測可能演出実行手段にて実行することにより、前記認識遊技状態を導出可能であると共に、
所定の経緯で前記高確率抽選遊技状態となった場合には、前記認識遊技状態に先立って、前記高確率抽選遊技状態であるか、あるいは、前記低確率抽選遊技状態であるかを察知困難な察知難状態を導出する察知難状態導出手段を含み、
前記察知難状態導出手段は、
前記推測可能演出実行手段による前記推測可能演出の実行に係る条件を判定する演出実行判定手段を有し、
前記遊技制御手段によって同様の態様で実行される前記短当たり遊技実行手段による前記短当たり遊技、又は、前記小当たり遊技実行手段による前記小当たり遊技を前記所定の経緯として前記察知難状態を導出し、当該察知難状態においては、前記演出実行判定手段にて特定条件がクリアされたか否かを判定し、特定条件のクリアに遊技者が失敗した場合には、前記推測可能演出実行手段による前記推測可能演出の実行を抑制又は禁止する
ことを特徴とする遊技機。
【請求項２】
前記特定条件がクリアされたか否かは、少なくとも前記短当たり遊技実行手段による前記短当たり遊技又は前記小当たり遊技実行手段による前記小当たり遊技において、前記開閉装置へ遊技球が入賞させられたか否かで判定される
ことを特徴とする請求項１に記載の遊技機。
【請求項３】
前記演出実行判定手段は、前記開閉装置へ遊技球が入賞させられなかった場合であっても、前記変動情報記憶手段に所定の変動パターンが記憶され、かつ、別の突入条件が成立すると、前記特定条件がクリアされたと判定する
ことを特徴とする請求項２に記載の遊技機。
【手続補正２】
【補正対象書類名】明細書
【補正対象項目名】０００９
【補正方法】変更
【補正の内容】
【０００９】
前記課題を解決するための本発明に係る遊技機は、遊技領域が形成され、当該遊技領域に向け遊技球が打ち込まれる遊技盤と、前記遊技盤の遊技領域に配置され、遊技球が入賞可能な始動口と、前記始動口に遊技球が入賞したことを検出する始動検出手段と、前記遊技領域に配置され、閉状態と開状態とを変化可能となっており、前記閉状態から前記開状態に変化させられることで遊技球が入賞可能となる開閉装置と、前記開閉装置に遊技球が入賞したことを検出する入賞検出手段と、少なくとも装飾図柄の変動表示を含む演出表示を行うための演出画像表示手段と、少なくとも前記変動表示のパターンである複数の変動パターンを記憶する変動情報記憶手段と、前記始動検出手段による遊技球の検出に基づいて抽選を行う抽選手段、前記変動情報記憶手段に記憶される変動パターンに基づき、前記演出画像表示手段に前記装飾図柄の変動表示を行い、前記抽選手段による抽選結果に応じた前記装飾図柄の停止表示を行う演出画像表示制御手段、前記抽選手段による抽選に当選したことに応じ、前記開閉装置の開閉動作を行い、遊技者に遊技価値を付与可能な大当たり遊技を実行する大当たり遊技実行手段、および前記抽選手段による前記大当たり遊技の抽選とは別の抽選に当選したことに応じ、前記開閉装置の開閉動作を行い、遊技者に遊技価値を付与可能な小当たり遊技を実行する小当たり遊技実行手段、を少なくとも有する遊技制御手段と、を備えた遊技機であって、前記大当たり実行手段は、少なくとも、遊技球が十分に入賞可能な態様で前記開閉装置の開閉動作を行う長当たり遊技を実行する長当たり遊技実行手段と、遊技球が十分には入賞しにくい態様で前記開閉装置の開閉動作を行う短当たり遊技を実行する短当たり遊技実行手段とを有し、前記遊技制御手段は、前記大当たり遊技実行手段による前記大当たり遊技の実行を決定するための抽選に係る遊技状態として、相対的に高い当選確率で抽選を行う高確率抽選遊技状態、又は、相対的に低い当選確率で抽選を行う低確率抽選遊技状態に制御可能な遊技状態制御手段を含み、前記遊技状態制御手段は、前記短当たり遊技実行手段による前記短当たり遊技の終了後には前記短当たり遊技に当選する前の遊技状態にかかわらず前記高確率抽選遊技状態に制御し、前記小当たり遊技実行手段による前記小当たり遊技の終了後には前記小当たり遊技に当選する前の遊技状態に制御し、前記遊技状態が前記高確率抽選遊技状態であることを遊技者が推測可能な認識遊技状態を導出する高確率報知手段を備え、前記高確率報知手段は、前記遊技状態を推測可能な推測可能演出を決定する推測可能演出決定手段と、該推測可能演出決定手段にて決定された前記推測可能演出を実行可能な推測可能演出実行手段とを有し、前記推測可能演出決定手段にて決定された前記推測可能演出を、前記推測可能演出実行手段にて実行することにより、前記認識遊技状態を導出可能であると共に、所定の経緯で前記高確率抽選遊技状態となった場合には、前記認識遊技状態に先立って、前記高確率抽選遊技状態であるか、あるいは、前記低確率抽選遊技状態であるかを察知困難な察知難状態を導出する察知難状態導出手段を含み、前記察知難状態導出手段は、前記推測可能演出実行手段による前記推測可能演出の実行に係る条件を判定する演出実行判定手段を有し、前記遊技制御手段によって同様の態様で実行される前記短当たり遊技実行手段による前記短当たり遊技、又は、前記小当たり遊技実行手段による前記小当たり遊技を前記所定の経緯として前記察知難状態を導出し、当該察知難状態においては、前記演出実行判定手段にて特定条件がクリアされたか否かを判定し、特定条件のクリアに遊技者が失敗した場合には、前記推測可能演出実行手段による前記推測可能演出の実行を抑制又は禁止することを特徴とする。